(57)【要約】      （修正有）【課題】照明として使用できる外に、植栽容器に養殖される植物に対して、電気的制御機構や光源機構に合わせて、異なる植物の相違の成長周期に応じて、適当な照明を供給でき、循環や曝気を必要しなくて、補助照明の機能が得られ、有効に、省エネルギーや空間節約、操作簡単及び美観の効果が実現される養殖構造を提供する。【解決手段】養殖構造は、台座１１と支持アーム１４を備える枠体１と、枠体に可動的に結合される光源機構２と、枠体に結合され、導体３２を介して光源機構に電気的に接続される電気的制御機構３と、枠体の収納領域１２に、光源機構に対応するように可動的に設けられる植栽容器４と、を含有する。【選択図】図２
0003197120.tif 000002
【実用新案登録請求の範囲】
【請求項１】
枠体と、
上記枠体に可動的に結合される光源機構と、
上記枠体に結合されて、上記光源機構に電気的に接続される電気的制御機構と、可動的に、上記枠体に、上記光源機構に対応するように設けられる植栽容器と、が含有されることを特徴とする養殖構造。
【請求項２】
上記枠体は、底座と、少なくとも一つの上記底座に設けられて植栽容器が設置される収納領域と、上記底座の一側に設けられる接合部と、上記接合部に結合される支持アームとが備えられ、上記光源機構は支持アームに可動的に結合され、上記電気的制御機構は上記底座と上記支持アームに結合されることを特徴とする請求項１に記載の養殖構造。
【請求項３】
上記支持アームは、上記底座に対応した一側に多数の光源機構に可動的に結合される嵌設部が設けられ、また、各上記嵌設部に、それぞれ、上記電気的制御機構に連接される導電素子が設けられることを特徴とする請求項２に記載の養殖構造。
【請求項４】
上記光源機構は、ケーシングと、上記ケーシングの一側に伸びて各上記嵌設部に可動的に結合される棒体と、上記ケーシングに設けられた発光ユニットと、棒体の一端に設けられて発光ユニットに接続される電極と、が備えられ、上記電極が導電素子に接触してオンになることを特徴とする請求項３に記載の養殖構造。
【請求項５】
上記発光ユニットは、少なくとも一つの照明モジュールを有することを特徴とする請求項４に記載の養殖構造。
【請求項６】
上記照明モジュールに、多数の発光ダイオードを有することを特徴とする請求項５に記載の養殖構造。
【請求項７】
上記電気的制御機構は、上記底座に設けられる制御ユニットと、上記制御ユニットと各上記導電素子とを接続する導体と、上記制御ユニットに接続されて上記底座の一側に設けられる連接器と、上記連接器に接続される電源アダプターとが備えられることを特徴とする請求項４に記載の養殖構造。
【請求項８】
上記連接器は、USB連接器であることを特徴とする請求項６に記載の養殖構造。
【請求項９】
上記植栽容器は、収納領域に設置される内容器と、内容器を封止して、貫通穴を有するふたと、貫通穴に設けられて少なくとも一つの養殖領域を有する養殖盤と、上記養殖領域に設置される吸着体とが備えられることを特徴とする請求項２に記載の養殖構造。
【考案の詳細な説明】
【技術分野】
【０００１】
本考案は、養殖構造に関し、特に、照明に使用でき、また、植栽容器に必要とする植物を養殖でき、電気的制御機構を利用し、光源機構に合わせて、異なる植物の相違成長周期に応じて、適当な照明を供し、循環や曝気を必要しなくて、補助照明が得られ、有効的に省エネルギーや空間節約、操作簡単及び美観等の利点が実現される。
【背景技術】
【０００２】
科学技術の発達とともに、多くの人は、仕事やレジャーには、コンピューターが不可欠になり、しかしながら、長期にコンピューターを使用する人々としては、その視力の健康も相対的に重要になり、そのため、人々は、コンピューターを使用する箇所に、それぞれ、卓上スタンドや盆栽が設置されて、卓上スタンドで照明し、盆栽を利用して、ユーザーの目の疲れを緩和する。
【０００３】
しかし、一般の卓上スタンドは、ただ、照明の機能を有し、盆栽に対して照射すると、絶えずに照明することにより高熱が生成し、エネルギーの無駄だけでなく、植物に傷害を与え、また、一般の盆栽は、異なる植物による相違の生長週期を有し、それから、循環システムや曝気システム及び異なる照明を必要とするため、照明の時間を注意しなければならないが、一般のユーザーが、格別に植物の世話を行うことが少ないし、また、世話する手順が複雑で、植物の世話が無視され、盆栽の植物が、所定の美観性を維持できなく、そして、上記卓上スタンドと盆栽とは、一般には別々に設置されるため、専用空間が大きくなり、机の利用空間が無くなる。
【０００４】
本考案者は、上記欠点を解消するため、慎重に研究し、また、学理を活用して、有効に上記欠点を解消でき、設計が合理である本考案の養殖構造を提案する。
【考案の概要】
【考案が解決しようとする課題】
【０００５】
本考案の主な目的は、照明として使用するだけでなく、植栽容器に必要とする植物を養殖し、電気的制御機構と光源機構を利用して、異なる植物の相違成長周期に応じて、適当な照明を供し、また、循環や曝気を必要しなく、補助照明の機能が得られ、また、有効的に省エネルギーや空間節約、操作簡単及び美観の効果が実現される養殖構造を提供することにある。
【課題を解決するための手段】
【０００６】
上記の目的を達成するため、本考案に係る養殖構造は、枠体と、枠体に可動的に結合される光源機構と、枠体に結合されて、光源機構に電気的に接続される電気的制御機構と、可動的に、枠体に、光源機構に対応するように設けられる植栽容器と、が含有される。
【０００７】
本考案の一実施例によれば、上記枠体は、底座と、少なくとも一つの底座に設けられて植栽容器が設置される収納領域と、底座の一側に設けられる接合部と、接合部に結合される支持アームと、が備えられ、上記光源機構は、支持アームに、可動的に結合され、上記電気的制御機構は、底座と支持アームに結合される。
【０００８】
本考案の一実施例によれば、上記支持アームは、底座に対応した一側に、多数の光源機構に可動的に結合される嵌設部が設けられ、また、各嵌設部に、それぞれ、電気的制御機構に連接される導電素子が設けられる。
【０００９】
本考案の一実施例によれば、上記光源機構は、ケーシングと、上記ケーシングの一側に伸びて各上記嵌設部に可動的に結合される棒体と、上記ケーシングに設けられた発光ユニットと、棒体の一端に設けられて、発光ユニットに接続される電極と、が備えられ、上記電極が導電素子に接触してオンになる。
【００１０】
本考案の一実施例によれば、上記発光ユニットは、少なくとも一つの照明モジュールを有する。
【００１１】
本考案の一実施例によれば、上記照明モジュールに、多数の発光ダイオードを有する。
【００１２】
本考案の一実施例によれば、上記電気的制御機構は、上記底座に設けられる制御ユニットと、上記制御ユニットと各上記導電素子とを接続する導体と、上記制御ユニットに接続されて上記底座の一側に設けられる連接器と、上記連接器に接続される電源アダプターとが備えられる。
【００１３】
本考案の一実施例によれば、上記連接器は、USB連接器である。
【００１４】
本考案の一実施例によれば、上記植栽容器は、収納領域に設置される内容器と、内容器を封止して、貫通穴を有するふたと、貫通穴に設けられて少なくとも一つの養殖領域を有する養殖盤と、上記養殖領域に設置される吸着体とが備えられる。
【００１５】
以下、図面を参照しながら、本考案の特徴や技術内容について、詳しく説明するが、それらの図面等は、参考や説明のためであり、本考案は、それによって制限されることが無い。
【図面の簡単な説明】
【００１６】
【図１】本考案の第一実施例の外観模式図である。
【図２】本考案の第一実施例の分解模式図である。
【図３】本考案の第二実施例の使用状態模式図である。
【図４】本考案の第三実施例の外観模式図である。
【考案を実施するための形態】
【００１７】
図１および図２は、それぞれ本考案の第一実施例の外観模式図と本考案の第一実施例の分解模式図である。図示のように、本考案に係る養殖構造は、枠体１と光源機構２、電気的制御機構３及び植栽容器４から構成される。
【００１８】
上記枠体１は、底座１１と少なくとも一つの底座１１に設けられる収納領域１２、底座１１の一側に設けられる接合部１３及び接合部１３に結合される支持アーム１４が、備えられ、上記支持アーム１４は、底座１１に対応した一側に、多数の嵌設部１５が設けられ、各嵌設部１５に、それぞれ、導電素子１６が設けられる。
【００１９】
上記光源機構２は、枠体１の支持アーム１４に可動的に結合され、ケーシング２１とケーシング２１の一側に伸びて各嵌設部１５に可動的に結合される棒体２２、ケーシング２１に設けられる発光ユニット２３及び棒体２２の一端に設けられて、発光ユニット２３に接続される電極２４が備えられ、上記発光ユニット２３は、少なくとも一つの照明モジュール２３１を有し、上記照明モジュール２３１は、多数の発光ダイオード２３２を有し、上記電極２４は、導電素子１６に接触してオンになる。
【００２０】
上記電気的制御機構３は、枠体１の底座１１と支持アーム１４に結合されて、光源機構２に電気的に接続され、底座１１に設置される制御ユニット３１と制御ユニット３１と各導電素子１６を接続する導体３２、制御ユニット３１に接続されて底座１１の一側に設けられる連接器３３及び連接器３３に接続される電源アダプター３４が備えられ、上記連接器３３は、USB連接器である。
【００２１】
上記植栽容器４は、光源機構２の発光ユニット２３に対応するように、可動的に枠体１に設置され、収納領域１２に設けられる内容器４１と内容器４１を封止して貫通穴４２１を有するふた４２、貫通穴４２１に設けられて少なくとも一つの養殖領域４３１を有する養殖盤４３及び養殖領域４３１に設置される吸着体４４が、備えられる。上記の構造によって、新規の養殖構造が構成される。
【００２２】
本考案によれば、養殖する植物（図示せず）を、養殖盤４３の吸着体４４にセットして、内容器４１に養殖液を注入し、植物が養殖盤４３から養殖液の養分を掬い上げ、同時に、電源アダプター３４で外部電力（例えば、商用電力やコンピューターの電力）を取得し、また、互いに電気的に接続された連接器３３と導体３２、導電素子１６及び電極２４により、発光ユニット２３の照明モジュール２３１が必要とする光源を生成し、照明として使用できるだけでなく、更に、植栽容器４に養殖される植物に対して照明でき、また、本考案によれば、異なる植物の相違生長週期に応じて照明を調整でき、調整する場合、直接に光源機構２の棒体２２を異なる高さの嵌設部１５に対応して挿設し、例えば、育苗期の場合、最も低い箇所の嵌設部１５に挿設し、生長期の場合、中央箇所の嵌設部１５に挿設し、採收期の場合、最も高い箇所の嵌設部１５に挿設し、また、上記棒体２２の一端にある電極２４を、それぞれ、各嵌設部１５の導電素子１６に接触させてオンにすると、異なる植物の相違成長周期に応じて、適当な照明をし、循環や曝気を必要しなくて、補助照明の機能が得られ、有効的に省エネルギーや空間節約、操作簡単及び美観の効果が実現される。
【００２３】
図３は、本考案の第二実施例の使用状態模式図である。図示のように、本考案は、上記第一実施例の使用方式の外に、実用上、他の電源アダプター３４aでコンピューター５に接続し、コンピューター５が連接器３３を介して電気的制御機構３に接続された後、コンピューター５で必要とする制御プログラムを制御ユニット３１にインストールして、制御ユニット３１により発光ユニット２３の照明モジュール２３１が制御され、植栽容器４に養殖される植物の必要に応じて、異なる照明時間や照明強度を供給でき、そのため、本考案は、より実用的である。
【００２４】
図４は、本考案の第三実施例の外観模式図である。図示のように、本考案は、上記第一実施例と第二実施例の使用方式の外に、実用上、更に、上記光源機構２aの発光ユニット２３aに多数の照明モジュール２３１aを設置し、各養殖盤４３aに、それぞれ、各照明モジュール２３１aに対応した養殖領域４３１aが設けられ、これにより、異なる養殖領域４３１aに違う吸着体４４aで多種類の植物を養殖でき、同時に、電気的制御機構３の制御ユニット３１によって、照明のスケジューリングを設定し、制御ユニット３１で、それぞれ、発光ユニット２３aの照明モジュール２３１aを制御して、所定の照光時間で、各養殖領域４３１aに養殖された植物に応じて、必要とする相違の照明時間や照明強度を供給でき、そのため、本考案は、より実用的である。
【００２５】
以上のように、本考案に係る養殖構造は、有効に、従来の諸欠点を解消でき、照明に使用することでなく、更に、植栽容器に養殖された植物に対して、電気的制御機構や光源機構に合わせて、異なる植物の相違の成長周期に応じて、適当な照明を供給でき、循環や曝気を必要しなくて、補助照明の機能が得られ、有効に、省エネルギーや空間節約、操作簡単及び美観の効果が実現され、そのため、本考案は、より進歩的かつより実用的で、法に従って実用新案登録を出願する。
【００２６】
以上は、ただ、本考案のより良い実施例であり、本考案は、それによって制限されることが無く、本考案に係わる実用新案登録請求の範囲や明細書の内容に基づいて行った等価の変更や修正は、全てが、本考案の実用新案登録請求の範囲内に含まれる。
【符号の説明】
【００２７】
１    枠体
１１  底座
１２  収納領域
１３  接合部
１４  支持アーム
１５  嵌設部
１６  導電素子
２、２a  光源機構
２１  ケーシング
２２  棒体
２３、２３a  発光ユニット
２３１、２３１a  照明モジュール
２３２  発光ダイオード
２４  電極
３    電気的制御機構
３１  制御ユニット
３２  導体
３３  連接器
３４、３４a  電源アダプター
４    植栽容器
４１  内容器
４２  ふた
４２１  貫通穴
４３、４３a  養殖盤
４３１、４３１a  養殖領域
４４、４４a  吸着体
５    コンピューター
【図１】
0003197120.tif 000003
【図２】
0003197120.tif 000004
【図３】
0003197120.tif 000005
【図４】
0003197120.tif 000006
【手続補正書】
【提出日】平成27年2月24日(2015.2.24)
【手続補正１】
【補正対象書類名】実用新案登録請求の範囲
【補正対象項目名】請求項８
【補正方法】変更
【補正の内容】
【請求項８】
上記連接器は、USB連接器であることを特徴とする請求項７に記載の養殖構造。